(57)【要約】【課題】  クローラとクレーンの簡単且つ時間のかからない相互切離し及び再連結を容易にする車体とクローラの連結部の改良に関する。【解決手段】  車体（２０）及び１対のクローラ組立体（２２）を含む下部走行体（１６）を有するクローラ車両（１０）。クローラ組立体は各々、複数の車体とクローラの連結部（３２）によって車体に着脱自在に連結されている。車体とクローラの連結部（３２）は各々、クローラ組立体側の連結部品と車体側の連結部品を相互に位置合わせしたり、これら連結部品が車体とクローラ組立体の各々との間に生じる偏心力又は撓みに応動して位置合わせ不良になるのを阻止する少なくとも１つのキー溝（９６）を有している。【選択図】      図１
2004189219.tif 000002
【特許請求の範囲】
【請求項１】
車体及び１対のクローラ組立体を備える下部走行体を有するクローラ車両であって、前記クローラ組立体は各々、複数の車体とクローラの連結部によって、前記車体に着脱自在に連結され、前記車体とクローラの連結部は各々、
前記車体のアーム部分に取り付けられた車体連結溶接部と、
前記クローラ組立体のクローラフレームに取り付けられたクローラフレーム連結溶接部とを有し、
前記車体連結溶接部と前記クローラ連結溶接部のうち一方がキー溝を有し、前記車体連結溶接部と前記クローラ連結溶接部のうち他方はキーを有し、前記キーは、前記キー溝に係合して前記車体連結溶接部と前記クローラ連結溶接部との間の位置合わせ不良を阻止するように構成されている、
クローラ車両。
【請求項２】
前記キー及び前記キー溝は、前記車体とクローラの連結部の頂部の近くに設けられていることを特徴とする請求項１記載のクローラ車両。
【請求項３】
前記キー及び前記キー溝は、前記車体とクローラの連結部の底部の近くに設けられていることを特徴とする請求項１記載のクローラ車両。
【請求項４】
前記車体とクローラの連結部は各々、複数のキー及び複数のキー溝を有し、前記複数のキーのうち少なくとも１つ及び前記複数のキー溝のうち少なくとも１つは、前記車体とクローラの連結部の頂部の近くに設けられ、前記複数のキーのうち少なくとも１つ及び前記複数のキー溝のうち少なくとも１つは前記車体とクローラの連結部の底部の近くに設けられていることを特徴とする請求項１記載のクローラ車両。
【請求項５】
前記車体連結溶接部及び前記クローラ連結溶接部はそれぞれ、水平に設けられた頂部フランジ部材及び垂直のフランジ部材を有し、前記頂部フランジ部材は、前記クローラを前記車体に組み付けると、互いに当接するよう構成されており、前記キー及び前記キー溝は、前記頂部フランジ部材内に設けられていることを特徴とする請求項２記載のクローラ車両。
【請求項６】
前記車体連結溶接部と前記クローラ連結溶接部のうち一方は、１対の垂直フランジを有し、前記車体連結溶接部と前記クローラ連結溶接部のうち他方の垂直フランジは、前記クローラを前記車体に組み付けると、１対の垂直フランジ相互間に位置することを特徴とする請求項５記載のクローラ車両。
【請求項７】
底部フランジ部材が、前記車体連結溶接部と前記クローラ連結溶接部のうちの一方の１対の垂直フランジ部材相互間に連結され、前記底部フランジ部材は、前記車体連結溶接部と前記クローラ連結溶接部のうち他方の垂直フランジに係合するよう構成されていることを特徴とする請求項６記載のクローラ車両。
【請求項８】
水平ピンが、垂直フランジ部材の各々を貫通して設けられていることを特徴とする請求項６記載のクローラ車両。
【請求項９】
複数の水平ピンが、垂直フランジ部材の各々を貫通して設けられ、前記ピンのうち少なくとも１つは、前記クローラ連結溶接部を前記車体連結溶接部から切り離すことができるよう取外し自在であることを特徴とする請求項６記載のクローラ車両。
【請求項１０】
前記取外し自在なピンは、油圧機構によって作動されることを特徴とする請求項９記載のクローラ車両。
【請求項１１】
ピンが、前記車体連結溶接部と前記クローラ連結溶接部のうちの一方の１対の垂直フランジ部材相互間に延びており、前記車体連結溶接部と前記クローラ連結溶接部のうち他方の垂直フランジは、ピンに係合するよう構成されたフックを有していることを特徴とする請求項６記載のクローラ車両。
【請求項１２】
前記キーは、前記頂部フランジ部材のうちの１つの端部から水平に延びる矩形の雄型係合部材から成り、前記キー溝は、前記頂部フランジ部材の他方の端部に形成された矩形の雌型係合部材から成ることを特徴とする請求項５記載のクローラ車両。
【請求項１３】
前記クローラ車両は、前記下部走行体に回転自在に取り付けられた上部旋回体を有するクレーンであり、ブームは、上部旋回体に回動自在に取り付けられていることを特徴とする請求項１記載のクローラ車両。
【請求項１４】
下部走行体に回転自在に取り付けられた上部旋回体及び該上部旋回体に回動自在に取り付けられたブームを有するクローラクレーンであって、
前記下部走行体が、車体及び１対のクローラ組立体を備え、これらのクローラ組立体の各々が、複数の車体とクローラの連結部によって、前記車体に着脱自在に連結され、前記車体とクローラの連結部の各々が、
前記車体のアーム部分に取り付けられた車体連結溶接部を有し、該車体連結溶接部が、水平頂部フランジと、水平底部フランジと、前記頂部フランジと前記底部フランジとの間に連結された１対の間隔を隔てた垂直フランジとを有し、
前記クローラ組立体のクローラフレームに取り付けられたクローラ連結溶接部を有し、該クローラ連結溶接部は、水平頂部フランジと、垂直フランジとを備え、
前記クローラ連結溶接部の前記垂直フランジは、前記車体連結溶接部の前記１対の垂直フランジ相互間に設けられ、
少なくとも１つのピンが、前記クローラ連結溶接部の前記垂直フランジ及び前記車体連結溶接部の前記１対の垂直フランジを貫通して設けられ、前記ピンは、力を前記クローラ組立体と前記車体との間で伝達するよう構成され、
前記車体連結溶接部と前記クローラ連結溶接部のうち一方の前記頂部フランジがキー溝を有し、前記車体連結溶接部と前記クローラ連結溶接部のうち他方の前記頂部フランジがキーを有し、該キーは、前記キー溝と嵌合して前記車体連結溶接部の頂部フランジと前記クローラ連結溶接部の頂部フランジとの間の位置合わせ不良を防止するよう構成されている、
クローラクレーン。
【請求項１５】
前記少なくとも１つのピンは、固定ピン及び取外し自在なピンから成り、前記固定ピンは、前記車体連結溶接部の１対の垂直フランジの上方部分と、固定ピンに係合するよう構成されたフック部分を有する前記クローラ連結溶接部の垂直フランジの上方部分との間に延び、前記取外し自在なピンは、前記クローラ連結溶接部の垂直フランジの下方部分及び前記車体連結溶接部の１対の垂直フランジの各々の下方部分を貫通して延びることを特徴とする請求項１４記載のクローラクレーン。
【請求項１６】
前記取外し自在なピンは、油圧機構によって作動されることを特徴とする請求項１５記載のクローラクレーン。
【請求項１７】
前記車体連結溶接部は、底部フランジの端部に形成された矩形の雌型係合部材から成り、前記雌型係合部材は、前記クローラ連結溶接部の垂直フランジと嵌合して前記車体連結溶接部の底部フランジと前記クローラ連結溶接部の下方部分との間の位置合わせ不良を阻止するよう構成されていることを特徴とする請求項１４記載のクローラクレーン。
【請求項１８】
前記キーは、前記頂部フランジ部材のうちの一方の端部から水平に延びる矩形の雄型係合部材から成り、前記キー溝は、前記頂部フランジ部材の他方の端部に形成された矩形の雌型係合部材から成ることを特徴とする請求項１４記載のクローラクレーン。
【発明の詳細な説明】
【技術分野】
【０００１】
本発明は、作業場所相互間で運搬される多数の構成部品の状態に分解されなければならない建築機械、例えばクローラクレーンに関する。本発明は特に、クローラの各々をクローラクレーンの車体に連結する着脱自在な連結部に関する。本発明は又、クローラの各々をクレーンの車体に連結したりこれから切り離す方法に関する。
【背景技術】
【０００２】
建設機械、例えばクレーン又は掘削機は、或る１つの作業場所から別の作業場所への移動が行われなければならない場合が多い。クレーン又は掘削機を移動させることは、機械が大型で重量がある場合、大変困難な仕事になる。例えば、車軸荷重に関する高速道路の制限に注意しなければならず、頭上の障害物によっては、作業場所までの長くて不便な経路が定められる場合がある。
【０００３】
大型建設機械、例えばクレーンの機動性を向上させる一解決策は、これらを小さくてより取り扱いやすい構成部品に分解することである。次に、別個の構成部品を新たな作業場所に運搬することができ、この作業場所でこれらを再び組み立てる。例えば、典型的なやり方は、クローラをクレーンから別個に切り離し、取り外し、そして運搬することであった。
【０００４】
従来型クレーンでは、クローラは各々クレーンの車体にボルト止めされているのが一般的である。クローラとクレーン車体の連結部は、極めて大きな荷重を支えなければならないので、これら連結部に用いられるボルトの大きさ及び数は相当なものである場合が多い。したがって、クローラの各々をクレーンの車体から取り外すには、通常、クローラと車体の連結部の各々から多くの大型ボルトを弛めて取り外すことが必要である。クレーン構成部品をいったん新たな作業場所に送ると、クローラを車体と注意深く位置合わせしなければならず、次に、各ボルトをクローラと車体の連結部の各々について再び挿入して締め付けなければならない。その結果として、クレーンに対するクローラの切離し及び再連結は、困難であり且つ時間のかかる作業になる場合がある。
【０００５】
上述の問題のうち幾つかを解決する１つの試みが、１９９８年１０月２０日にペゾルトに付与された米国特許第５，８２３，２７９号明細書（発明の名称：Carbody to Crawler Connection ）に開示されている。この米国特許明細書は、１対のピンを利用する車体とクローラの連結部を開示している。垂直のピンが、車体アームの頂部に設けられた水平フランジから上方に延び、この垂直ピンは、クローラフレーム溶接部の頂部に設けられた水平フランジに形成されている穴にルーズに嵌まるよう構成されている。水平のピンが、車体アームの垂直フランジ及びクローラフレーム溶接部の垂直フランジの下方部分を貫通している。クローラを車体に取り付けるには、まず最初に、クローラフレーム溶接部の頂部の水平フランジの穴を車体アームの頂部の垂直ピンの上に配置する。次に、クローラフレーム溶接部の垂直フランジの穴を車体アームの垂直フランジの穴と位置合わせする。次に、水平ピンをこれら穴に挿入すると、連結が完了する。
【０００６】
米国特許第５，８２３，２７９号明細書に開示された車体とクローラの連結部は、従来型クレーンに典型的に用いられているボルト止め形連結部と比べて幾つかの利点を備えている。例えば、この種の連結により、多くのボルトを注意深く位置合わせしたり締結する必要性が無くなる。しかしながら、この種の連結部は、大型クレーンには適していない。特に、大型クレーンの車体とクローラの連結部相互間に生じる力により、連結部構成部品が撓んで互いに位置合わせ不良になる場合がある。例えば、車体のアームは、車体とクローラとの間に働く力の偏心性の結果として捩じれ又は外方に広がる場合がある。車体とクローラの連結部は、これら構成部品の撓み及び位置合わせ不良が十分に大きいと、破損する場合さえある。
【０００７】
撓み及び位置合わせ不良の程度は、高力スチールを用いることにより一段と悪化する場合があり、かかる高力スチールは、大型クレーンに用いられる場合が多い。これは、高力スチールが低力スチールと同一の弾性率を有しているからである。その結果、高力スチールを利用した構成部品が設計上支持する高い荷重は、必然的に大きな撓みを生じさせることになる。
【発明の開示】
【発明が解決しようとする課題】
【０００８】
大型クレーンにおける車体とクローラの連結部構成部品の撓み及び位置合わせ不良を防止するため、車体の各側部のアームは典型的には、箱状の構造体を形成するよう互いに連結されている。しかしながら、車体アーム相互間にプレート又はクロスブレーシング（たすき振止め）を用いると、クレーンに相当大きな重量が負荷されると共に製造費が増大する場合がある。また、車体アーム相互間に車体又はクロスブレーシングを用いると、クレーンの部分部分への接近ができなくなる場合があり、しかも、クレーンに対するクローラの切離し及び再連結が一層困難になる場合がある。
【０００９】
したがって、クレーンに対するクローラの簡単且つ時間のかからない相互切離し及び再連結を容易にし、車体とクローラの連結部構成部品相互間に生じる力の結果として、撓むことがなく、又は位置合わせ不良になることがなく、しかも、車体アーム相互間のプレート構造部材又はクロスブレーシングを用いる必要がない改良型車体とクローラの連結部を提供することが望ましい。
【課題を解決するための手段】
【００１０】
本発明は、好ましい特徴では、下部走行体に回転自在に取り付けられた上部旋回体と、上部旋回体に回動自在に取り付けられたブームと、上部旋回体に回動自在に取り付けられると共にブームに吊り下げ状態で連結されたマストと、マストに連結されていて、ブームの角度を制御するブームホイスト索具とを有するクレーンを提供する。下部走行体は、車体及び１対の着脱自在に連結されたクローラ組立体を含む。
【００１１】
本発明は更に、クローラ組立体の各々を車体に着脱自在に連結する複数の車体とクローラの連結部を提供する。車体とクローラの連結部は、クローラ組立体側の連結部品と車体側の連結部品を相互に位置合わせしたり、これら連結部品が車体とクローラ組立体の各々との間に生じる偏心力又は撓みに応動して位置合わせ不良になるのを阻止する少なくとも１つのキー溝を有している。
【００１２】
本発明の上記利点及び他の利点並びに本発明の内容は、以下に十分に説明し、特許請求の範囲に記載される構造及び作用の詳細を参照すると明らかになろう。さらに、本発明の幾つかの特徴を他形式のクレーン、機械又は設備に使用できることは理解されるべきである。
【発明を実施するための最良の形態】
【００１３】
本発明は、全ての形式のクレーン又は建設機械に利用できるが、本発明の好ましい実施形態は、図１のクローラクレーン１０と関連して説明する。クローラクレーン１０は、旋回ベアリング１８により下部走行体１６に回転自在に連結されている回転ベッド１４を備えた上部旋回体１２を有している。
【００１４】
図２に最もよく示されているように、下部走行体１６は、車体２０及び２つの互いに別個独立に動力供給されるクローラ２２を有している。車体２０は、Ｈ形であり、中央部分２４を有し、この中央部分は、その右側部及び左側部から外方に延びる４つの車体アーム２６（図３参照）を備えている。クローラ２２は各々、クローラフレーム組立体３０（図４参照）によって支持されたクローラ軌道２８を有している。油圧駆動装置（図示せず）が車体２０又はクローラフレーム組立体の何れかに取り付けられていて、動力を供給してクローラ軌道２８を動かしてクレーン１０を動かすようになっている。以下に詳細に説明するように、クローラフレーム組立体３０は各々、１対の車体とクローラの連結部（以下、「車体／クローラ連結部」ともいう）によって車体２０に着脱自在に連結されている。  図１に最もよく示されているように、上部旋回体１２は、上部旋回体１２に回動自在に連結されたブーム３４を有している。ブーム３４は、ブームトップ３６及びテーパしたブームバット３８を有している。ブーム３４は、ブーム３４の全長を増大させるようブームトップ３６とブームバット３８との間に連結された１以上のブームインサート４０を更に有するのがよい。
【００１５】
マスト４２が、上部旋回体１２に回動自在に連結されている。ブーム３４は、１以上のブーム吊束４４によってマスト４２に連結されている。ガントリ４６が、上部旋回体１２に同様に回動自在に連結されている。マスト４２は、１以上のマスト吊束４８によりガントリ４６に連結されている。
【００１６】
ブーム３４の角度は、上部旋回体１２とガントリ４６との間に連結されたブームホイスト索具５０によって制御される。ブームホイスト索具５０は、ガントリ４６の上端部に設けられたシーブ（滑車）組立体５４及び上部旋回体１２の後方部分に設けられたシーブ（滑車）組立体（図示せず）の周りに延びる（即ち、掛けられた）ブームホイストロープ５２を有している。ブームホイストロープ５２の一端部は、代表的には上部旋回体１２に繋留され、他端部は、上部旋回体１２のブームホイストドラム（図示せず）に繋留されてこれに巻き付けられている。
【００１７】
ガントリ４６は、ブームホイスト索具５０とマスト吊束４８との間の連結部を、マスト吊束４８及びブームホイスト索具５０に働く力を最適化するようマスト４２の軸線から距離を置いた場所に支持する。これと同様に、マスト４２は、マスト吊束４８とブーム吊束４４との間の連結部を、ブーム吊束４４及びマスト吊束４８に働く力を最適化するようブーム３４の軸線から距離を置いた場所に支持する。さらに、この構造により、ブームホイスト索具５０はブーム３４の軸線に垂直なベクトル成分を持つ力を与えることができる。この力は、マスト吊束４８及びブーム吊束４４によってブーム３４の端部に伝達される。ブーム３４がクレーン１０の通常の動作範囲内にある限り、ブームホイストロープ５２、マスト吊束４８及びブーム吊束４４は常時引張状態にある。というのは、ブーム３４の重量は、マスト４２、ガントリ４６及びブームホイスト索具５０の総重量よりもかなり大きいからである。これとは逆に、マスト４２及びガントリ４６は、ブーム３４がクレーン１０の通常の動作範囲内にある限り、常時圧縮状態にある。ブーム３４が安全動作角度（図１参照）を越えないようにするためにマストを安全装置５６及びブーム安全装置５８がそれぞれ設けられている。
【００１８】
ブームホイストドラムを一方向（例えば、時計回り）に回転させると、ブームホイストロープ５２が引っ込み、それにより、ブームホイスト索具５０の長さが短くなると共にガントリ４６及びマスト４２の上端部が上部旋回体１２の後方部分に向かって引っ張られるようになる。これにより、ブーム３４の端部が上昇する（即ち、ブーム角度が増大する）。これと同様に、ブームホイストドラムを逆方向（例えば、反時計回り）に回転させると、ブームホイストロープ５２が繰り出され、それによりブームホイスト索具５０の長さが増大すると共に、ガントリ４６及びマスト４２の上端部がブーム３４の重量により上部旋回体１２の後方部分から引き剥がされるようになる。この作用の結果として、ブーム３４の端部が下降することになる（即ち、ブーム角度が減少する）。
【００１９】
上部旋回体１２は、荷重を吊り上げるための１以上の荷重ホイストライン６０を更に有している。各荷重ホイストライン６０は、上部旋回体１２の回転ベッド１４で支持されている荷重ホイストラインドラム（図示せず）の周りに通されている（即ち、掛けられている）。荷重ホイストラインドラムは、荷重ホイストライン６０を繰り出し又は巻き取るよう回転する。荷重ホイストライン６０は、ブームトップ３６の上端部のところに設けられた複数のブームトップシーブ６２の周りに掛けられている。ブーム３４は、荷重ホイストライン６０がブーム３４の格子構造体を邪魔しないようにするようブーム３４の上方フェースに取り付けられた１以上のワイヤロープガイドを更に有するのがよい。通常、フックブロック（図示せず）が各荷重ホイストライン６０に取り付けられる。
【００２０】
上部旋回体１２は、動力装置６４、例えばディーゼルエンジン及びカウンタウエイト組立体６６を更に有している。動力装置６４は、クレーン１０の種々の機械的及び油圧動作が得られるよう動力を供給し、かかる動作としては、クローラ２２の運動、回転ベッド１４の回転、荷重ホイストラインドラムの回転及びブームホイストドラムの回転が挙げられる。クレーン１０の種々の機能の動作は、オペレータの運転室６８から制御される。
【００２１】
概要を上述したように、クローラフレーム組立体３０は各々、１対の車体／クローラ連結部３２によって車体２０に着脱自在に連結されている。図５に最もよく示されているように、各車体／クローラ連結部３２は、クローラフレーム組立体３０に取り付けられたクローラ連結溶接部８０及び車体アーム２６の端部の一部に取り付けられ又はこれに形成された車体連結溶接部８２を有している。
【００２２】
車体連結溶接部８２は、１対の垂直フランジ８４から成る。以下に詳細に説明するように、垂直フランジ８４は、クローラ連結溶接部８０の垂直フランジ８６をこれらの間に受け入れるよう（図６参照）互いに間隔を置いて設けられている。図示の実施形態では、各車体アーム２６は、頂部プレート８８、底部プレート９０及び互いに溶接された１対の垂直のプレート部材９２から成る箱状プレート構造体を有している。図５に最もよく示されているように、車体アーム２６の垂直プレート部材９２の端部は、車体連結溶接部８２の垂直フランジ８４を形成するよう延長されている。しかしながら、車体連結溶接部８２の垂直フランジ８４は、車体アーム２６の垂直プレート部材９２の端部に溶接され又はボルト止めされる別個のプレート部材から成っていてもよいことは理解されるべきである。
【００２３】
車体連結溶接部８２は、車体アーム２６の頂部プレート８８の端部から形成された頂部フランジ９４を更に有している。図示の実施形態では、頂部フランジ９４は、車体連結溶接部８２に追加の強度をもたらすよう車体アーム２６の頂部プレート８８に溶接された１以上のプレート部材（図５参照）によって補強されている。
【００２４】
図７に最もよく示されているように、車体連結溶接部８２の頂部フランジ９４は、上方キー溝９６を更に有している。上方キー溝９６は、クローラ連結溶接部８０に設けられた上方キー９８に係合するよう形作られている。以下に詳細に説明するように、上方キー溝９６は、上方キー９８と組み合わさって、車体連結溶接部８２の頂部とクローラ連結溶接部８０の頂部との位置合わせ関係を維持するよう構成されている。また、上方キー溝９６は、上方キー９８と組み合わさって、側荷重又は横方向荷重を車体連結溶接部８２の頂部とクローラ連結溶接部８０の頂部との間で伝達するよう構成されている。
【００２５】
図示の実施形態では、図７に最もよく示されているように、上方キー溝９６を形成するのに、矩形部分を車体連結溶接部８２の頂部フランジ９４から除去して（更に、補強プレートを頂部フランジ９４に付加して）雌型受入れ部分を形成するようにする。これと同様に、上方キー９８を形成するには、頂部フランジ１００の矩形部分及びクローラ連結溶接部８０の垂直フランジ８６の上方部分を延長し（更に、補強プレートをこれらに付加して）雄型係合部分を形成するようにする。当然のことながら、上方キー溝９６及び上方キー９８は、車体連結溶接部８２の頂部とクローラ連結溶接部８０の頂部との間で側荷重を適当に伝達したり、これらの間の位置合わせ状態を維持する任意の数の形状又は構成から成っていてもよいことは理解されるべきである。
【００２６】
車体連結溶接部８２は、車体アーム２６の底部プレート９０の端部に取り付けられた底部フランジ１０２を更に有している。図示の実施形態では、底部フランジ１０２を形成するには、鋼プレート部材（図５参照）を車体アーム２６の底部プレート９０に溶接する。
【００２７】
図７及び図８に最もよく示されているように、車体連結溶接部８２の底部フランジ１０２は、下方キー溝１０４を更に有している。下方キー溝１０４は、クローラ連結溶接部８０に設けられた下方キー１０６と係合するよう形作られている。以下に詳細に説明するように、下方キー溝１０４は、下方キー１０６と組み合わさって、車体連結溶接部８２の底部とクローラ連結溶接部８０の底部との位置合わせ関係を維持するよう構成されている。また、下方キー溝１０４は、下方キー１０６と組み合わさって、側荷重又は横方向荷重を車体連結溶接部８２の底部とクローラ連結溶接部８０の底部との間で伝達するよう構成されている。
【００２８】
図示の実施形態では、図７及び図８に最もよく示されているように、下方キー溝１０４を形成するのに、矩形部分を車体連結溶接部８２の底部フランジ１０２から除去して雌型受入れ部分を形成するようにする。下方キー１０６は、クローラ連結溶接部８０の垂直フランジ８６の下方部分によって形成され（図５参照）、それにより雄型係合部分を形成する。当然のことながら、下方キー溝１０４及び下方キー１０６は、車体連結溶接部８２の底部とクローラ連結溶接部８０の底部との間で側荷重を適当に伝達したり、これらの間の位置合わせ状態を維持する任意の数の形状又は構成から成っていてもよいことは理解されるべきである。
【００２９】
車体連結溶接部８２は、車体連結溶接部２６の垂直フランジ８４の両方を貫通して延びる固定ピン１０８を更に有している。以下に詳細に説明するように、固定ピン１０８は、クローラ連結溶接部８０の垂直フランジ８６の上方部分に形成されたフック１１０に係合するよう形作られている。図示の実施形態では、図８に最もよく示されているように、固定ピン１０８は、車体連結溶接部８２の垂直フランジ８４の各々に設けられた円形の穴１１２（図５参照）を貫通して延びる鋼製筒体から成っている。固定ピン１０８は、その各端部を貫通して延びる保持ピン１１４によって定位置に保持されている。
【００３０】
車体連結溶接部８２は、車体連結溶接部８２の垂直フランジ８４の両方を貫通するよう形作られた油圧作動式係止ピン１１６を更に有している。以下に詳細に説明するように、油圧作動式係止ピン１１６は、クローラ連結溶接部８０の垂直フランジ８６の下方部分に形成された円形の穴１１８に係合するよう形作られている。図示の実施形態では、図８に最もよく示されているように、係止ピン１１６は、油圧作動機構１２４（図８参照）によって車体連結溶接部８２の垂直フランジ８４の各々の下方部分に設けられた円形の穴１２０及びクローラ連結溶接部８０の垂直フランジ８６の下方部分に形成された円形の穴１１８（図５参照）を貫通する鋼製筒体から成っている。係止ピン１１６は、その各端部を貫通して延びる保持ピン１１４によって定位置に保持されている。
【００３１】
図５に最もよく示されているように、クローラ連結溶接部８０は、垂直フランジ８６及び頂部フランジ１００を有しており、これらフランジはそれぞれ、クローラフレーム組立体３０の内面に溶接されている。上述したように、クローラ連結溶接部８０の垂直フランジ８６は、車体連結溶接部８２の１対の垂直フランジ８４相互間に位置するよう構成されている。図示の実施形態では、図６に最もよく示されているように、クローラ連結溶接部８０の垂直フランジ８６の厚さは、車体連結溶接部８２の１対の垂直フランジ８４相互間の距離よりも僅かに小さく、それにより、これら構成部品相互の滑り嵌め関係が得られるようになっている。変形例では、車体連結溶接部８２の１対の垂直フランジ８４相互間の距離を増大させてクローラ２２を車体２０に組み付ける際、クローラ連結溶接部８０を位置決めしてこれを車体連結溶接部８２に連結するのを容易にしてもよい。
【００３２】
クローラ連結溶接部８０の垂直フランジ８６は、車体連結溶接部８２の固定ピン１０８に引っ掛かり又は係合するよう形作られたフック１１０を有している。上述したようにフック１１０は、クローラ２２を車体２０に組み付ける際に、クローラ連結溶接部８０と車体連結溶接部８２を位置合わせするガイドとして役立つ。換言すると、クローラ２２を車体２０に組み付ける際、クローラ２２を車体２０上に下降させ、ついにはフック１１０が固定ピン１０８に載るようにする。フック１１０は、車体／クローラ連結部３２が固定されるまでクローラ２２の重量を一時的に支持する。フック１１０は又、クローラ連結溶接部８０の構成部品と車体連結溶接部８２の構成部品を位置合わせするのに役立つ。車体／クローラ連結部３２をいったん固定すると、フック１１０は、クローラフレーム組立体３０の頂部が車体アーム２６の頂部から遠ざかるのを阻止するよう働く。
【００３３】
クローラ連結溶接部８０の垂直フランジ８６は、その下方部分を貫通して設けられた円筒形の穴１１８（図５参照）を更に有している。上述したように、穴１１８は、車体連結溶接部８２に取り付けられた油圧作動式係止ピン１１６と係合するよう形作られている。特に、車体／クローラ連結部３２を固定するには、係止ピン１１６をクローラ連結溶接部８０の垂直フランジ８６の円形穴１１８及び車体連結溶接部８２の垂直フランジ８４の各々の円形穴１２０に通す。この連結部をいったん固定すると、車体２６及び上部旋回体１２の重量並びにクレーン１０によって支持されている荷重は、車体連結溶接部８２の垂直フランジ８４からクローラ連結溶接部８０の垂直フランジ８６に係止ピン１１６を介して伝達される。係止ピン１１６によって形成された連結部も又、クローラフレーム組立体３０の下方部分が車体アーム２６の底部から遠ざかるのを阻止する。
【００３４】
図５に最もよく示されているように、当接ブロック１２２が、クローラ連結溶接部の垂直フランジ８６の各側でクローラフレーム組立体３０の内面に取り付けられている。当接ブロック１２２は、フック１１０が固定ピン１０８に載り、垂直フランジ８６，８４のそれぞれの円形穴１１８，１２０が係止ピン１１６の係合を容易にするよう互いに整列している場合、車体連結溶接部８２のフランジ８４に接触するよう構成されている。
【００３５】
クローラ連結溶接部８０の垂直フランジ８６は、その下方部分に形成された下方キー１０６（図７及び図８参照）を更に有している。上述したように、下方キー１０６は、車体連結溶接部８２の底部フランジ１０２に形成された下方キー溝１０４に係合するよう形作られている。車体／クローラ連結部３２を固定すると（即ち、係止ピン１１６を垂直フランジ８６，８４のそれぞれの円形穴１１８，１２０に通すと）、クローラ連結溶接部８０の下方キー１０６は、車体連結溶接部８２の下方キー溝１０４とぴったりと嵌合する。このキー止め又は嵌合構造により、車体連結溶接部８２の底部フランジ１０２、更に車体アーム２６の底部は、撓むのが阻止され又ははクローラ連結溶接部８０の底部から側方に遠ざかるのが阻止される。また、このキー止め又は嵌合構造により、側荷重又は横方向荷重が車体連結溶接部８２の底部とクローラ連結溶接部８０の底部との間で伝達される。換言すると、下方キー１０６及び下方キー溝１０４は、車体２６の偏心荷重条件、力又は撓みが車体連結溶接部８２とクローラ連結溶接部８０との位置合わせ不良を生じさせるのを防止する。
【００３６】
クローラ連結溶接部８０の頂部フランジ１００は、その中央部分に沿って形成された上方キー９８（図７）を更に有している。上述したように、上方キー９８は、車体連結溶接部８２の頂部フランジ９４に形成された上方キー溝９６に係合するよう形作られている。車体／クローラ連結部３２を固定すると（即ち、係止ピン１１６を垂直フランジ８６，８４のそれぞれの円形穴１１８，１２０に通すと）、クローラ連結溶接部８０の上方キー９８は、車体連結溶接部８２の上方キー溝９６とぴったりと嵌合する。このキー止め又は嵌合構造により、車体連結溶接部８２の頂部フランジ９４、更に車体アーム２６の頂部は、撓むのが阻止され又はクローラ連結溶接部８０の底部から側方に遠ざかるのが阻止される。また、このキー止め又は嵌合構造により、側荷重又は横方向荷重が車体連結溶接部８２の頂部とクローラ連結溶接部８０の頂部との間で伝達される。換言すると、上方キー９８及び上方キー溝９６は、車体２６の偏心荷重条件、力又は撓みが車体連結溶接部８２とクローラ連結溶接部８０との位置合わせ不良を生じさせるのを防止する。
【００３７】
車体連結溶接部８２の頂部フランジ９４とクローラ連結溶接部８０の頂部フランジ１００とのキー止め又は嵌合構造は又、頂部フランジ９４，１００が通常のクレーン作動中、圧縮荷重をクローラ連結溶接部８０の頂部と車体連結溶接部８２の頂部との間で伝達するよう互いに当接しているので重要である。かくして、頂部フランジ９４，１００相互間の位置合わせ不良があると、その結果として、車体／クローラ連結部３２の破損が生じる場合がある。
【００３８】
クローラ２２を車体２６に組み付けるには、補助クレーン（図示せず）を用いてクローラフレーム組立体３０の頂部に取り付けられた１対の吊り上げブロック１２６に引っ掛ける（図３及び図８参照）。図７に最もよく示されているように、次に、補助クレーンを用いてクローラ２２を操作して、１対のクローラ連結溶接部８２の各々の垂直フランジ８６をそれぞれ対応関係にある車体連結溶接部の各々の１対の垂直フランジ８４相互間の中に位置合わせする。次に、クローラ２２をクローラ連結溶接部８０のフック１１０が各々それぞれ対応関係にある車体連結溶接部８２の各々の固定ピン１０８上に位置するまで車体２６に近付ける。図５に最もよく示されているように、次に、クローラ２２を下降させ、ついにはフック１１０がそれぞれ固定ピン１０８に係合し、車体連結溶接部８２の各々の垂直フランジ８４がクローラフレーム組立体３０の当接ブロック１２２に載るようにする。図５及び図６に最もよく示されているように、クローラ連結溶接部８０の各々の上方キー９８及び下方キー１０６を同様に、車体連結溶接部８２の各々の上方キー溝９６及び下方キー溝１０４とそれぞれ位置合わせする。図８に最もよく示されているように、次に、油圧作動機構１２４を作動させて車体連結溶接部８２の各々の係止ピン１１６がそれぞれ対応関係にあるクローラ連結溶接部８０を貫通して車体／クローラ連結部３２の各々が固定されるようにする。保持ピン１１４を係止ピン１１６の各々の端部に通して配置し、それにより係止ピン１１６の偶発的な引っ込みを防止する。
【００３９】
本発明の装置及び方法は、種々の実施形態で具体化でき、これら実施形態のうちほんの数例につき図説したに過ぎないことは理解されるべきである。本発明は、その精神又は本質的な特徴から逸脱することなく他の形態で具体化できる。例えば、本発明は、着脱自在なクローラ組立体を利用した他形式の車両で具体化できる。開示した実施形態は、あらゆる点で本発明を限定するものではなく、単なる例示として解されるべきあり、したがって、本発明の範囲は上記説明ではなく特許説明の範囲の記載に基づいて定められる。特許請求の範囲に記載された意味及び均等範囲に属する変更は、本発明の範囲に含まれるものである。
【図面の簡単な説明】
【００４０】
【図１】本発明の教示に従って構成された複数の車体とクローラの連結部を有するクローラクレーン一式の右側面図である。
【図２】図１のクローラクレーンの下部走行体の一部の平面図であり、本発明の教示に従って構成された車体とクローラの連結部の配設場所を示す図である。
【図３】クローラフレーム組立体の右側面図である。
【図４】車体の背面図である。
【図５】車体とクローラの連結部の図２における５−５線矢視部分背面図であり、車体に連結されたクローラフレーム組立体を示す図である。
【図６】車体とクローラの連結部の図５における６−６線矢視断面図である。
【図７】車体とクローラの連結部の部分平面図であり、車体から切り離されて離されたクローラフレーム組立体を示す図である。
【図８】車体とクローラの連結部の下から見た斜視図であり、車体に連結されたクローラフレーム組立体を示す図である。
【図１】
2004189219.tif 000003
【図２】
2004189219.tif 000004
【図３】
2004189219.tif 000005
【図４】
2004189219.tif 000006
【図５】
2004189219.tif 000007
【図６】
2004189219.tif 000008
【図７】
2004189219.tif 000009
【図８】
2004189219.tif 000010